(57)【特許請求の範囲】
【請求項１】
踏段と同期して循環移動する移動手摺を駆動する駆動ローラと、
移動手摺を挟んで前記駆動ローラと対向する位置に配置された加圧ローラと、
前記加圧ローラの間に設けられ、該加圧ローラを常時前記駆動ローラ側に押し付ける板バネと、
前記板バネの移動手摺側に設けられ、一体構造のボルト部分が前記板バネの反移動手摺側に延在している加圧ローラ固定板と、
前記板バネの反移動手摺側に設けられた板バネ押さえと、
前記加圧ローラ固定板のボルト部分にねじ込まれ、前記加圧ローラを通常の取付状態に配設する固定ナットと、
前記加圧ローラの通常の取付状態において前記加圧ローラに着脱自在に取り付けられ、前記板バネが自由状態になることを拘束する拘束治具とを備え、
前記拘束治具は、ベースと、このベースの一端部に設けられ、一方の加圧ローラの軸部に係合する固定爪部と、前記ベースの他端部に可動可能に設けられ、他方の加圧ローラの軸部に係合する可動爪部とを備えることを特徴とするマンコンベア用移動手摺の加圧ローラ着脱装置。
【請求項２】
拘束治具は、加圧ローラ固定板のボルト部分が貫通するための逃がし穴を有するベースと、このベースの一端部に設けられ、一方の加圧ローラの軸部に係合する係合部を有する固定爪部と、前記ベースの他端部の前後に可動可能に設けられ、他方の加圧ローラの軸部に係合する係合部を有する前後一対の可動爪部と、前後一対の可動爪部間に跨って設けられた連結棒とを備えることを特徴とする請求項１記載のマンコンベア用移動手摺の加圧ローラ着脱装置。
【請求項３】
可動爪部の先端部までの長さは、板バネが自由状態であっても加圧ローラの軸部にオーバーラップする長さに選定されていることを特徴とする請求項１又は請求項２記載のマンコンベア用移動手摺の加圧ローラ着脱装置。
【請求項４】
可動爪部の加圧ローラの軸部が係合する係合部の上方部には、アール加工部が施されていることを特徴とする請求項２記載のマンコンベア用移動手摺の加圧ローラ着脱装置。
【請求項５】
拘束治具は、ベースと、このベースの両端部にそれぞれ可動可能に設けられ、加圧ローラの軸部に係合する可動爪部とを備えることを特徴とする請求項１記載のマンコンベア用移動手摺の加圧ローラ着脱装置。
【請求項６】
拘束治具は、加圧ローラ固定板のボルト部分が貫通するための逃がし穴を有するベースと、このベースの両端部の前後にそれぞれ可動可能に設けられ、加圧ローラの軸部に係合する係合部を有する前後一対の可動爪部と、前後一対の可動爪部間に跨ってそれぞれ設けられた連結棒とを備えることを特徴とする請求項１記載のマンコンベア用移動手摺の加圧ローラ着脱装置。
【請求項７】
踏段と同期して循環移動する移動手摺を駆動する駆動ローラと、
移動手摺を挟んで前記駆動ローラと対向する位置に配置された加圧ローラと、
前記加圧ローラの間に設けられ、該加圧ローラを常時前記駆動ローラ側に押し付ける板バネと、
前記板バネの移動手摺側に設けられ、一体構造のボルト部分が前記板バネの反移動手摺側に延在している加圧ローラ固定板と、
前記板バネの反移動手摺側に設けられた板バネ押さえと、
前記加圧ローラ固定板のボルト部分にねじ込まれ、前記加圧ローラを通常の取付状態に配設する固定ナットと、
前記加圧ローラの通常の取付状態において前記加圧ローラに着脱自在に取り付けられ、前記板バネが自由状態になることを拘束する拘束治具とを備えたマンコンベア用移動手摺の加圧ローラ着脱装置において、
前記加圧ローラの取替え作業時に、一方の加圧ローラの軸部に前記拘束治具の一端部を仮取付するステップと、他方の加圧ローラの軸部に前記拘束治具の他端部を仮取付するステップと、その後で前記拘束治具の他端部を可動させることにより、前記拘束治具の両端部を両方の加圧ローラの軸部間に本取付状態として、前記板バネが自由状態になることを拘束するステップと、板バネが拘束された状態で前記固定ナットをスパナ等で回転させて緩めるステップと、その後で手で固定ナットを回転させるステップとを備えたことを特徴とするマンコンベア用移動手摺の加圧ローラ着脱方法。
【請求項８】
踏段と同期して循環移動する移動手摺を駆動する駆動ローラと、
移動手摺を挟んで前記駆動ローラと対向する位置に配置された加圧ローラと、
前記加圧ローラの間に設けられ、該加圧ローラを常時前記駆動ローラ側に押し付ける板バネと、
前記板バネの移動手摺側に設けられ、一体構造のボルト部分が前記板バネの反移動手摺側に延在している加圧ローラ固定板と、
前記板バネの反移動手摺側に設けられた板バネ押さえと、
前記加圧ローラ固定板のボルト部分にねじ込まれ、前記加圧ローラを通常の取付状態に配設する固定ナットと、
前記加圧ローラの通常の取付状態において前記加圧ローラに着脱自在に取り付けられ、前記板バネが自由状態になることを拘束する拘束治具とを備え、拘束治具は、ベースと、このベースの一端部に設けられ、一方の加圧ローラの軸部に係合する固定爪部と、前記ベースの他端部に可動可能に設けられ、他方の加圧ローラの軸部に係合する可動爪部とを備えるマンコンベア用移動手摺の加圧ローラ着脱装置において、
前記加圧ローラの取替え作業時に、一方の加圧ローラの軸部に前記拘束治具の一端部の固定爪部を係合させて仮取付するステップと、他方の加圧ローラの軸部上に前記拘束治具の他端部の可動爪部を載置して仮取付するステップと、その後で前記拘束治具の他端部の可動爪部を可動させることにより、前記拘束治具の両端部の固定爪部と可動爪部を両方の加圧ローラの軸部間に本取付状態に係合させて、前記板バネが自由状態になることを拘束するステップと、板バネが拘束された状態で前記固定ナットをスパナ等で回転させて緩めるステップと、その後で手で固定ナットを回転させるステップとを備えたことを特徴とするマンコンベア用移動手摺の加圧ローラ着脱方法。
【発明の詳細な説明】
【技術分野】
【０００１】
この発明は、エスカレータ等のマンコンベア用移動手摺の手摺駆動装置における加圧ローラ着脱装置及びその方法に関するものである。
【背景技術】
【０００２】
従来のマンコンベア用移動手摺を駆動する手摺駆動装置においては、マンコンベアの動きに同期した駆動ローラに移動手摺を加圧ローラで押し付ける形式、すなわちプシュプル方式を採用しているものが大半となっている。この構造について、図１、図８、図９により説明する。エスカレータ等のマンコンベアは、上下階の梁間に跨設されて傾斜部を形成するマンコンベアのトラス１と、トラス１に設けられた駆動レール（図示せず）に沿って循環移動する踏段２と、この踏段２の略全長に沿って設けられ、踏段２と同期して循環移動する移動手摺３とを備えている。そして、トラス１の上部機械室内には、踏段２と移動手摺３を駆動する駆動スプロケット４が設けられている。駆動スプロケット４は、駆動機６の駆動力を踏段２と移動手摺３に伝達する。また、マンコンベアのトラス１の上端部付近には、移動手摺３を駆動する手摺駆動装置１０が設置されている。この手摺駆動装置１０と駆動スプロケット４の間には、駆動力伝達用チェーン５が巻き掛けられており、この駆動力伝達用チェーン５によって手摺駆動装置１０に駆動力が伝達されている。手摺駆動装置１０は、移動手摺３に沿うように縦列して配置された４個又は６個からなる複数の駆動ローラ１１を備えている。この複数の駆動ローラ１１は各々概略短尺円柱状をなし中央穴を貫通する軸によって各々回転自在に支持されている。そして、駆動ローラ１１は、外周面が移動手摺３に接するように配置されている。また、移動手摺３を挟んで駆動ローラ１１と対向する位置に４個又は６個からなる複数の加圧ローラ１２が各々配設されている。この複数の加圧ローラ１２は、各々駆動ローラ１１と対を成すように並んで配置されている。踏段２と移動手摺３を駆動する駆動スプロケット４からの動力は、駆動力伝達用チェーン５から手摺駆動装置１０に設けられた駆動力伝達スプロケット１３に伝達される。複数の駆動ローラ１１の中間部でかつ移動手摺３を挟んで複数の加圧ローラ１２の中間部側寄りにチェーン張力調整用スプロケット１４が設けられている。そして、駆動力伝達スプロケット１３、複数の駆動ローラ１１、及びチェーン張力調整用スプロケット１４には、移動手摺３に駆動力を伝達するための手摺駆動チェーン１５が巻き掛けられている。
また、左右一対の加圧ローラ１２間には、加圧ローラ１２を移動手摺３を挟んで駆動ローラ１１側に押し付ける板バネ１６が設けられている。１７はボルトと一体構造の加圧ローラ固定板で、板バネ１６の移動手摺３側に設けられている。１８は板バネ１６の反移動手摺側に設けられた板バネ押さえ、１９は板バネ押さえ１８と一体又は別体に設けられた固定ナットで、上記加圧ローラ固定板１７のボルト部分にスパナ等２０でねじ込まれるものである。
【０００３】
この加圧ローラ１２の取替え作業は、板バネ１６の撓み量が大きく、固定ナット１９を緩める際には、その板バネ１６の撓み代分、延々固定ナット１９にバネ力がかかり続ける。この為、手で固定ナット１９を回すことができず、ずっとスパナ等２０で固定ナット１９を回しながら緩める必要があり、時間がかかる作業となっている。
【０００４】
また、従来技術としては、駆動手段から駆動力を伝達されて回転し、外周面と移動手摺との間に働く摩擦抵抗によって移動手摺を駆動する駆動ローラと、移動手摺を挟んで駆動ローラと略対向する位置に回転自在に設けられた加圧ローラと、加圧ローラに設けられ、加圧ローラを駆動ローラに向かって付勢し、加圧ローラと駆動ローラとの間に移動手摺を挟み込む挟持力を発生させる加圧バネと、駆動ローラに対する移動手摺の滑り量を検出する滑り量検出手段と、滑り量検出手段の出力に基づいて挟持力を調整する挟持力調整手段とを備えた手摺駆動装置が提案されている（例えば、特許文献１参照）。
【０００５】
【特許文献１】特開２００４−２１７４０１号公報
【発明の開示】
【発明が解決しようとする課題】
【０００６】
従来のマンコンベアの手摺駆動装置では、移動手摺を加圧する加圧ローラの取替え作業は、板バネの撓み量が大きく、固定ナットを緩める際には、その板バネの撓み代分、延々固定ナットにバネ力がかかり続ける。この為、手で固定ナットを回すことができず、ずっとスパナ等で固定ナットを回しながら緩める必要があり、着脱性が極めて悪く作業時間が多くかかるという問題があった。
また、従来技術に記載された手摺駆動装置は、駆動ローラと加圧ローラに働く挟持力を常に最適な力に設定することを目的としたものであり、加圧ローラの取替え作業性を改善するために考慮されたものではない。
【０００７】
この発明は、上述のような課題を解決するためになされたもので、加圧ローラが移動手摺を加圧している通常の取付状態において、加圧ローラの板バネを拘束治具で拘束することにより、加圧ローラの固定ナットをスパナ等で緩めれば、後は手で固定ナットを回すことができるマンコンベア用移動手摺の加圧ローラ着脱装置及びその方法を提供するものである。  
【課題を解決するための手段】
【０００８】
この発明に係るマンコンベア用移動手摺の加圧ローラ着脱装置は、踏段と同期して循環移動する移動手摺を駆動する駆動ローラと、移動手摺を挟んで駆動ローラと対向する位置に配置された加圧ローラと、加圧ローラの間に設けられ、該加圧ローラを常時駆動ローラ側に押し付ける板バネと、板バネの移動手摺側に設けられ、一体構造のボルト部分が板バネの反移動手摺側に延在している加圧ローラ固定板と、板バネの反移動手摺側に設けられた板バネ押さえと、加圧ローラ固定板のボルト部分にねじ込まれ、加圧ローラを通常の取付状態に配設する固定ナットと、加圧ローラの通常の取付状態において加圧ローラに着脱自在に取り付けられ、板バネが自由状態になることを拘束する拘束治具とを備え、拘束治具は、ベースと、このベースの一端部に設けられ、一方の加圧ローラの軸部に係合する固定爪部と、ベースの他端部に可動可能に設けられ、他方の加圧ローラの軸部に係合する可動爪部とを備えるものである。
【００１０】
また、拘束治具は、加圧ローラ固定板のボルト部分が貫通するための逃がし穴を有するベースと、このベースの一端部に設けられ、一方の加圧ローラの軸部に係合する係合部を有する固定爪部と、ベースの他端部の前後に可動可能に設けられ、他方の加圧ローラの軸部に係合する係合部を有する前後一対の可動爪部と、前後一対の可動爪部間に跨って設けられた連結棒とを備えるものである。
【００１１】
また、可動爪部の先端部までの長さは、板バネが自由状態であっても加圧ローラの軸部にオーバーラップする長さに選定されているものである。
【００１２】
また、可動爪部の加圧ローラの軸部が係合する係合部の上方部には、アール加工部が施されているものである。
【００１３】
また、拘束治具は、ベースと、このベースの両端部にそれぞれ可動可能に設けられ、加圧ローラの軸部に係合する可動爪部とを備えるものである。
【００１４】
また、拘束治具は、加圧ローラ固定板のボルト部分が貫通するための逃がし穴を有するベースと、このベースの両端部の前後にそれぞれ可動可能に設けられ、加圧ローラの軸部に係合する係合部を有する前後一対の可動爪部と、前後一対の可動爪部間に跨ってそれぞれ設けられた連結棒とを備えるものである。
【００１５】
また、この発明に係るマンコンベア用移動手摺の加圧ローラ着脱方法は、加圧ローラの取替え作業時に、一方の加圧ローラの軸部に拘束治具の一端部を仮取付するステップと、他方の加圧ローラの軸部に拘束治具の他端部を仮取付するステップと、その後で拘束治具の他端部を可動させることにより、拘束治具の両端部を両方の加圧ローラの軸部間に本取付状態として、板バネが自由状態になることを拘束するステップと、板バネが拘束された状態で固定ナットをスパナ等で回転させて緩めるステップと、その後で手で固定ナットを回転させるステップとを備えたものである。
【００１６】
また、拘束治具は、ベースと、このベースの一端部に設けられ、一方の加圧ローラの軸部に係合する固定爪部と、前記ベースの他端部に可動可能に設けられ、他方の加圧ローラの軸部に係合する可動爪部とを備えるものにおいて、加圧ローラの取替え作業時に、一方の加圧ローラの軸部に拘束治具の一端部の固定爪部を係合させて仮取付するステップと、他方の加圧ローラの軸部上に拘束治具の他端部の可動爪部を載置して仮取付するステップと、その後で拘束治具の他端部の可動爪部を可動させることにより、拘束治具の両端部の固定爪部と可動爪部を両方の加圧ローラの軸部間に本取付状態に係合させて、板バネが自由状態になることを拘束するステップと、板バネが拘束された状態で固定ナットをスパナ等で回転させて緩めるステップと、その後で手で固定ナットを回転させるステップとを備えたものである。
【発明の効果】
【００１７】
この発明によれば、加圧ローラの板バネを拘束治具で拘束することにより、加圧ローラの固定ナットをスパナ等で一回転程度緩めれば、その後は手で固定ナットを回転させることができ、加圧ローラを簡単に取外すことができる。これにより、加圧ローラの取替え作業時間を大幅に短縮することができる。
【発明を実施するための最良の形態】
【００１８】
実施の形態１．
図１はこの発明の実施の形態１におけるマンコンベア用移動手摺の加圧ローラ着脱装置が適用される手摺駆動装置を備えたマンコンベアを示す概略側面図、図２はこの発明の実施の形態１におけるマンコンベア用移動手摺の加圧ローラ着脱装置として用いられる拘束治具を示す斜視図、図３はこの発明の実施の形態１におけるマンコンベア用移動手摺の加圧ローラ着脱装置として用いられる拘束治具を加圧ローラに取り付ける方法を示す拡大斜視図、図４はこの発明の実施の形態１におけるマンコンベア用移動手摺の加圧ローラ着脱装置として用いられる拘束治具の使用方法を示す側面図、図５はこの発明の実施の形態１におけるマンコンベア用移動手摺の加圧ローラ着脱装置として用いられる拘束治具により加圧ローラを取外す方法を示す側面図、図６はこの発明の実施の形態１におけるマンコンベア用移動手摺の加圧ローラ着脱装置として用いられる拘束治具を加圧ローラから取外す方法を示す斜視図である。
【００１９】
図において、エスカレータ等のマンコンベアは、上下階の梁間に跨設されて傾斜部を形成するマンコンベアのトラス１と、トラス１に設けられた駆動レール（図示せず）に沿って循環移動する踏段２と、この踏段２の略全長に沿って設けられ、踏段２と同期して循環移動する移動手摺３とを備えている。そして、トラス１の上部機械室内には、踏段２と移動手摺３を駆動する駆動スプロケット４が設けられている。駆動スプロケット４は、駆動機６の駆動力を踏段２と移動手摺３に伝達する。また、マンコンベアのトラス１の上端部付近には、移動手摺３を駆動する手摺駆動装置１０が設置されている。この手摺駆動装置１０と駆動スプロケット４の間には、駆動力伝達用チェーン５が巻き掛けられており、この駆動力伝達用チェーン５によって手摺駆動装置１０に駆動力が伝達されている。手摺駆動装置１０は、移動手摺３に沿うように縦列して配置された４個又はは６個からなる複数の駆動ローラ１１を備えている。この複数の駆動ローラ１１は各々概略短尺円柱状をなし中央穴を貫通する軸によって各々回転自在に支持されている。そして、駆動ローラ１１は、外周面が移動手摺３に接するように配置されている。また、移動手摺３を挟んで駆動ローラ１１と対向する位置に４個又は６個からなる複数の加圧ローラ１２が各々配設されている。この複数の加圧ローラ１２は、各々駆動ローラ１１と対を成すように並んで配置されている。踏段２と移動手摺３を駆動する駆動スプロケット４からの動力は、駆動力伝達用チェーン５から手摺駆動装置１０に設けられた駆動力伝達スプロケット１３に伝達される。複数の駆動ローラ１１の中間部でかつ移動手摺３を挟んで複数の加圧ローラ１２の中間部側寄りにチェーン張力調整用スプロケット１４が設けられている。そして、駆動力伝達スプロケット１３、複数の駆動ローラ１１、及びチェーン張力調整用スプロケット１４には、移動手摺３に駆動力を伝達するための手摺駆動チェーン１５が巻き掛けられている。また、左右一対の加圧ローラ１２間には、加圧ローラ１２を移動手摺３を挟んで駆動ローラ１１側に押し付ける板バネ１６が設けられている。１７はボルトと一体構造の加圧ローラ固定板で、板バネ１６の移動手摺３側に設けられている。１８は板バネ１６の反移動手摺側に設けられた板バネ押さえ、１９は板バネ押さえ１８と一体又は別体に設けられた固定ナットで、上記加圧ローラ固定板１７のボルト部分にスパナ等２０でねじ込まれるものである。
【００２０】
この発明の特徴であるマンコンベア用移動手摺の加圧ローラ着脱装置として用いられる拘束治具２１は、加圧ローラ１２の通常の取付状態において、加圧ローラ１２の板バネ１６を拘束できるものであり、次のように構成されている。拘束治具２１は、中央部に加圧ローラ固定板１７のボルト部分が貫通するための逃がし穴２２ａを有する板金製のベース２２と、このベース２２の一端部の前後部にそれぞれ起立して設けられ、一方の加圧ローラ１２の軸部１２ａに外方から引掛け係合される係合部２３ａを有する前後一対の固定爪部２３と、この固定爪部２３と対向するようにベース２２の他端部の前後部にそれぞれ起立して設けられ、他方の加圧ローラ１２の軸部１２ａに下方から挿入係合される係合部２４ａを有する前後一対の可動爪部２４と、この前後一対の可動爪部２４間に跨って設けられた連結棒２５と、ベース２２の中央部の前後部に設けられた位置微調整用の芋ネジ２６とから構成されている。なお、固定爪部２３の係合部２３ａ及び可動爪部２４の係合部２４ａの加圧ローラ１２の軸部１２ａがそれぞれ嵌り込む上端部分にはアール加工部２３ｂ、２４ｂが施されている。特に、可動爪部２４の係合部２４ａのアール加工部２４ｂは、拘束治具２１の加圧ローラ１２への取り付けの際にガイドとしての役目を果たすものである。
【００２１】
この発明の実施の形態１におけるマンコンベア用移動手摺の加圧ローラ着脱装置による加圧ローラの取替え作業の手順について説明する。
まず、加圧ローラ１２の通常の取付状態において、拘束治具２１を、図４に示すように、加圧ローラ１２の直下位置から拘束治具２１の固定爪部２３の係合部２３ａを一方の加圧ローラ１２の軸部１２ａに引掛けて係合させる。その後、拘束治具２１の可動爪部２４を、図３に示すように、上方かつ外側に回転させて、可動爪部２４の先端部を他方の加圧ローラ１２の軸部１２ａ上に載置する。この状態では加圧ローラ固定板１７のボルト部分はベース２２の中央部の逃がし穴２２ａを貫通しており、板バネ１６は自由状態である。ここで、可動爪部２４の先端部までの長さは、加圧ローラ組立を取外した状態、すなわち板バネ１６が自由状態であっても加圧ローラ１２の軸部１２ａにオーバーラップする長さに選定されており、拘束治具２１の着脱ができるような構成となっている。次に、手などで板バネ１６を押さえながら連結棒２５を引き上げると、加圧ローラ１２の軸部１２ａが可動爪部２４にガイドされながら、係合部２４ａの上端部のアール加工部２４ｂに嵌り込み、図４に示すように、板バネ１６をバネ力に抗して略水平状態に拘束する。この拘束状態から、図５に示すように、固定ナット１９をスパナ等２０で一回転程度緩めると、後は手で固定ナット１９を容易に回転させることができ、加圧ローラ１２を簡単に取外すことができる。これにより、作業時間の短縮や、作業労力を著しく低減することができる。また、取外した加圧ローラ１２から拘束治具２１を取外す場合には、図６に示すように、棒状体等からなる取外し道具２７により梃子の原理を利用する。すなわち、取外し道具２７の先端の力点に力を加え、梃子の原理により可動爪部２４の連結棒２５に押し下げ力を与える。この時、手などで拘束治具２１を押さえながら連結棒２５を引き下げると、可動爪部２４がこじ開けられるので、拘束治具２１を加圧ローラ１２から容易に取外すことができる。
【００２２】
この実施の形態１によれば、加圧ローラの板バネを拘束治具で拘束することにより、加圧ローラの固定ナットをスパナ等で一回転程度緩めれば、その後は手で固定ナットを回転させることができ、加圧ローラを簡単に取外すことができる。これにより、加圧ローラ一個所の作業時間が約３分程度短縮することが可能となる。
【００２３】
実施の形態２．
図７はこの発明の実施の形態２におけるマンコンベア用移動手摺の加圧ローラ着脱装置として用いられる拘束治具を示す側面図である。
上記実施の形態１では、ベース２２の一端部に固定爪部２３を設け、この固定爪部２３と対向するようにベース２２の他端部に可動爪部２４を設けた拘束治具２１について説明したが、この実施の形態２においては、一端部の固定爪部を止めて、ベース２１の両端部に可動爪部２４を設けたものである。それ以外の構成は、実施の形態１と同様である。
【００２４】
上記実施の形態２では、両端部が可動爪部であるので、実施の形態１とほぼ同様の効果が得られるが、取り扱いが若干煩雑となる。
【図面の簡単な説明】
【００２５】
【図１】この発明の実施の形態１におけるマンコンベア用移動手摺の加圧ローラ着脱装置が適用される手摺駆動装置を備えたマンコンベアを示す概略側面図である。
【図２】この発明の実施の形態１におけるマンコンベア用移動手摺の加圧ローラ着脱装置として用いられる拘束治具を示す斜視図である。
【図３】この発明の実施の形態１におけるマンコンベア用移動手摺の加圧ローラ着脱装置として用いられる拘束治具を加圧ローラに取り付ける方法を示す拡大斜視図である。
【図４】この発明の実施の形態１におけるマンコンベア用移動手摺の加圧ローラ着脱装置として用いられる拘束治具の使用方法を示す側面図である。
【図５】この発明の実施の形態１におけるマンコンベア用移動手摺の加圧ローラ着脱装置として用いられる拘束治具により加圧ローラを取外す方法を示す側面図である。
【図６】この発明の実施の形態１におけるマンコンベア用移動手摺の加圧ローラ着脱装置として用いられる拘束治具を加圧ローラから取外す方法を示す斜視図である。
【図７】この発明の実施の形態２におけるマンコンベア用移動手摺の加圧ローラ着脱装置として用いられる拘束治具を示す側面図である。
【図８】従来のマンコンベア用移動手摺の加圧ローラ着脱装置を示す側面図である。
【図９】従来のマンコンベア用移動手摺の加圧ローラ着脱装置により加圧ローラを取外す方法を示す側面図である。
【符号の説明】
【００２６】
１  トラス    
２  踏段
３  移動手摺
４  駆動スプロケット
５  駆動力伝達用チェーン
６  駆動機
１０  手摺駆動装置
１１  駆動ローラ    
１２  加圧ローラ
１３  駆動力伝達スプロケット
１４  チェーン張力調整用スプロケット
１５  手摺駆動チェーン
１６  板バネ
１７  加圧ローラ固定板（ボルト一体構造）
１８  板バネ押さえ
１９  固定ナット
２０  スパナ等    
２１  拘束治具
２２  ベース
２２ａ  逃がし穴
２３  固定爪部
２３ａ  係合部
２３ｂ  アール加工部
２４  可動爪部
２４ａ  係合部
２４ｂ  アール加工部
２５  連結棒
２６  位置調整用の芋ネジ
２７  取外し道具（棒状体）
【図１】
0004663458.tif 000002
【図２】
0004663458.tif 000003
【図３】
0004663458.tif 000004
【図４】
0004663458.tif 000005
【図５】
0004663458.tif 000006
【図６】
0004663458.tif 000007
【図７】
0004663458.tif 000008
【図８】
0004663458.tif 000009
【図９】
0004663458.tif 000010